(57)【特許請求の範囲】
【請求項１】
吸気口および排気口を有する本体枠と、
前記本体枠内に設けられ、前記本体枠内を前記吸気口側に位置する吸気室および前記排気口側に位置するファン収納室に区画する仕切板と、
前記仕切板に設けられ、前記吸気室および前記ファン収納室間を接続する通風路と、
前記ファン収納室内に配設され、前記吸気口から空気を吸込んで前記通風路から前記排気口を通して排出するファン装置と、
前記本体枠内を流通する風量に応じた信号を出力する風量検出手段と、
前記風量検出手段から出力される信号に基づいて前記ファン装置を駆動制御する制御手段と、
前記ファン装置の運転状態で前記本体枠内の風量が所定値以下であることに基づいて、前記本体枠内を前記ファン装置による送風方向と反対方向へ空気が流れていることを判断する逆風検出手段とを備え、
前記風量検出手段は、
前記吸気室の内圧に応じた電圧レベルの圧力信号を検出する第１の圧力センサと、
前記通風路の内圧に応じた電圧レベルの圧力信号を検出する第２の圧力センサと、
前記第１の圧力センサから出力される圧力信号と前記第２の圧力センサから出力される圧力信号との差圧に応じた電圧レベルの差圧信号を出力する演算回路とを備えていることを特徴とする換気扇。
【発明の詳細な説明】
【０００１】
【発明の属する技術分野】
本発明は、ファン装置を用いて強制排気を行う換気扇に関する。
【０００２】
【発明が解決しようとする課題】
例えば換気扇には、本体枠内にファン装置を配設し、部屋内の空気を本体枠を通して屋外へ強制的に排出する構成のものがある。この構成の場合、屋外で強風が吹いていると、屋外から本体枠内に逆風が吹込み、ファン装置の回転抵抗が増大する。すると、ファン装置が異常昇温してファン装置の寿命が低下したり、消費電力量が増大する虞れがある。
【０００３】
本発明は上記事情に鑑みてなされたものであり、その目的は、ファン装置の寿命低下および消費電力量の増大を防止できる換気扇を提供することにある。
【０００４】
【課題を解決するための手段】
請求項１記載の換気扇は、吸気口および排気口を有する本体枠と、前記本体枠内に設けられ前記本体枠内を前記吸気口側に位置する吸気室および前記排気口側に位置するファン収納室に区画する仕切板と、前記仕切板に設けられ前記吸気室および前記ファン収納室間を接続する通風路と、前記ファン収納室内に配設され前記吸気口から空気を吸込んで前記通風路から前記排気口を通して排出するファン装置と、前記本体枠内を流通する風量に応じた信号を出力する風量検出手段と、前記風量検出手段から出力される信号に基づいて前記ファン装置を駆動制御する制御手段と、前記ファン装置の運転状態で前記本体枠内の風量が所定値以下であることに基づいて前記本体枠内を前記ファン装置による送風方向と反対方向へ空気が流れていることを判断する逆風検出手段とを備え、前記風量検出手段は 前記吸気室の内圧に応じた電圧レベルの圧力信号を検出する第１の圧力センサと前記通風路の内圧に応じた電圧レベルの圧力信号を検出する第２の圧力センサと前記第１の圧力センサから出力される圧力信号と前記第２の圧力センサから出力される圧力信号との差圧に応じた電圧レベルの差圧信号を出力する演算回路とを備えているところに特徴を有している。
上記手段によれば、ファン装置の運転状態で本体枠内の風量が所定値以下であることに基づいて逆風が検出される。このため、ファン装置を駆動停止する等の異常処置を行うことができるので、ファン装置が異常昇温してファン装置の寿命が低下したり、消費電力量が増大することが防止される。
【００１０】
【発明の実施の形態】
以下、本発明の一実施例を図面に基づいて説明する。まず、図２において、室１の天井板２には開口部２ａが形成されており、開口部２ａ内には室１側から本体枠３が挿着さている。この本体枠３は筒状をなすものであり、本体枠３の下面には孔状の吸気口３ａが形成され、本体枠３の上面には筒状の排気口３ｂが形成されている。
【００１１】
本体枠３の下端部には本体カバー４が着脱可能に装着されており、本体枠３の吸気口３ａは本体カバー４により室１側から覆われている。この本体カバー４は、図３に示すように、正方形状をなす枠部４ａと、枠部４ａ内に装着された正方形状の化粧パネル４ｂとを有するものであり、枠部４ａの内周面と化粧パネル４ｂの外周面との間には枠状の吸気用開口部４ｃが形成されている。
【００１２】
本体枠３内には、図２に示すように、仕切板５が配設されている。この仕切板５は本体枠３内をファン収納室６および吸気室７に区画するものであり、仕切板５の左側部には四角筒状の通風路５ａが設けられ、通風路５ａ内にはダンパ８が軸８ａを中心に回動可能に収納されている。
【００１３】
通風路５ａの外面にはダンパモータ９が固定されている。このダンパモータ９の回転軸（図示せず）にはダンパ８の軸８ａが連結されており、ダンパモータ９が作動すると、ダンパ８が軸８ａを中心に回動する。尚、符号１０は、ダンパ８およびダンパモータ９から構成されたダンパ装置（開閉装置に相当する）を示している。
【００１４】
ファン収納室６内にはファンモータ１１が配設されている。このファンモータ１１の回転軸１１ａにはシロッコファン１２が固定されており、ファンモータ１１に電源が与えられると、ファン１２が回転する。尚、符号１３はファンモータ１１およびファン１２から構成されたファン装置を示している。
【００１５】
ファン収納室１０内にはファンケーシング１４が配設されており、ファン１２はファンケーシング１４により囲われている。このファンケーシング１４には筒状の強制排気通路１４ａが固定されており、通風路５ａの開放状態でファン１２が回転すると、室１内の空気が本体カバー４の吸気用開口部４ｃから本体枠３の吸気口３ａを通して吸気室７内，通風路５ａ内，ファンケーシング１４内に吸引され、強制排気通路１４ａから吐出される。
【００１６】
本体枠３の排気口３ｂの外周面には排気ダクト１５の下端部が接続されている。この排気ダクト１５の上端部には排気塔１６が装着されており、強制排気通路１４ａから吐出された空気は、排気ダクト１５から排気塔１６を通して屋外へ排出される。また、本体枠３内には強制排気通路１４ａの外周面と本体枠３の内周面との間に位置して自然排気通路２５が形成されており、内外の圧力差や温度差が大きい場合には、室１内の空気が通風路５ａから自然排気通路２５を通して屋外へ自然排気される。
【００１７】
ファン収納室６内には制御回路ボックス１７が配設されており、制御回路ボックス１７内には風量検出手段に相当する差圧センサ１８が収納されている。この差圧センサ１８は、図４に示すように、第１の圧力センサ１８ａ，第２の圧力センサ１８ｂ，演算回路１８ｃを主体に構成されたものであり、第１の圧力センサ１８ａおよび第２の圧力センサ１８ｂには第１のエアチューブ１９および第２のエアチューブ２０が接続されている。
【００１８】
第１のエアチューブ１９の下端部は、図２に示すように、吸気室７内に配置されており、第１の圧力センサ１８ａは吸気室７の内圧を第１のエアチューブ１９を通して検出し、検出圧力に応じた電圧レベルの圧力信号を出力する。また、第２のエアチューブ２０の左端部は通風路５ａ内に配置されており、第２の圧力センサ１８ｂは通風路５ａの内圧を第２のエアチューブ２０を通して検出し、検出圧力に応じた電圧レベルの圧力信号を出力する。
【００１９】
演算回路１８ｃは第１の圧力センサ１８ａおよび第２の圧力センサ１８ｂの出力側に電気的に接続されたものであり、第１の圧力センサ１８ａからの圧力信号と第２の圧力センサ１８ｂからの圧力信号との差に応じた電圧レベルの差圧信号「Ｖ」を出力する。尚、第１の圧力センサ１８ａおよび第２の圧力センサ１８ｂは半導体圧力センサからなるものである。
【００２０】
制御回路ボックス１７内には、図４に示すように、制御装置２１が配設されている。この制御装置２１は制御手段および逆風検出手段に相当するものであり、ＣＰＵ２１ａ，ＲＯＭ２１ｂ，ＥＥＰＲＯＭ２１ｃ，ＲＡＭ２１ｄ，入力インターフェース２１ｅ，出力インターフェース２１ｆ等を備えている（マイクロコンピュータを主体に構成されている）。また、制御装置２１の入力インターフェース２１ｅには強／弱スイッチ２２が電気的に接続されており、制御装置２１は、強／弱スイッチ２２の操作内容に応じて目標風量を「強」あるいは「弱」に設定する。
【００２１】
ファンモータ１１は、図５に示すように、主コイル１１ａ，補助コイル１１ｂ，コンデンサ１１ｃを有するコンデンサ誘導モータからなるものであり、図４に示すように、ファンモータ駆動回路２３を介して制御装置２１の出力インターフェース２１ｆに接続されている。このファンモータ駆動回路２３は、図５に示すように、タップに相当するリードスイッチ２３ａおよび２３ｂを有するものであり、制御装置２１は、リードスイッチ２３ａおよび２３ｂを選択的にオンすることに伴い、ファンモータ１１の回転速度を「弱」および「強」の２段階で調節する（いわゆるタップ切換え）。
【００２２】
制御装置２１の出力インターフェース２１ｆには、図４に示すように、ダンパモータ駆動回路２４を介してダンパモータ９が接続されている。このダンパモータ９はステッピングモータからなるものであり、制御装置２１は、ダンパモータ駆動回路２４を通してダンパモータ９に与えるパルス信号数を調節することに伴い、ダンパ９の回動角度を所定量（例えば１５°）ずつ変化させ、通風路５ａの開口量を調節する。
【００２３】
次に上記構成の作用について説明する。尚、下記動作は、制御装置２１がＲＯＭ２１ｂに予め記憶された運転制御プログラムに基づいて実行するものである。
＜内外の圧力差や温度差が小さく、屋外で強風が吹いていない場合＞
制御装置２１は、電源が投入されると、図１のステップＳ１へ移行する。そして、「風量タップカウンタＱｃ←１」を実行した後、ステップＳ２へ移行し、所定時間「５分」が経過したかを判断する。
【００２４】
制御装置２１は、ステップＳ２で「５分」が経過したことを検出すると、ステップＳ３へ移行し、強／弱スイッチ２２の操作内容を検出する。そして、ステップＳ４あるいはＳ５へ移行し、強／弱スイッチ２２の操作内容に応じて目標風量を「強」あるいは「弱」に設定した後、ステップＳ６へ移行する。ここでは、目標風量が「強」に設定されているものとして説明を進める。
【００２５】
制御装置２１は、ステップＳ６へ移行すると、差圧センサ１８の差圧信号「Ｖ」を検出する。そして、差圧信号「Ｖ」に基づいて通風路５ａ内の風量を演算し、演算結果を目標風量「強」とを比較する。この場合、ダンパ８が全閉状態にされ且つファンモータ１１がオフされているので、風量「ゼロ」が演算される。従って、制御装置２１は、演算風量が目標風量「強」を下回っていると判断し、ステップＳ６からＳ７へ移行する。
【００２６】
制御装置２１は、ステップＳ７へ移行すると、ダンパ８が全開状態にあるかを検出する。ここでは、図２に二点鎖線で示すように、ダンパ８が水平な「０°」の回動位置にあり、全閉状態になっているため、図１のステップＳ７で「ＮＯ」と判断してステップＳ８へ移行する。ここで、ダンパモータ９を位置制御してダンパ８を「１５°」回動させ、通風路５ａを所定量だけ開放した後、ステップＳ１に復帰する。
【００２７】
制御装置２１は、ステップＳ１に復帰すると、ステップＳ１〜Ｓ８を繰返し、通風路５ａを「５分」毎に「１５°」ずつ開放する。この後、ダンパ８が垂直な「９０°」の位置に回動し、全開状態になると（図２の一点鎖線参照）、図１のステップＳ７で「ＹＥＳ」と判断してステップＳ９へ移行する。
【００２８】
制御装置２１は、ステップＳ９へ移行すると、ファンモータ１１のオフを検出してステップＳ１０へ移行する。ここで、風量タップカウンタＱｃの値「１」に基づいて図５のリードスイッチ２３ａをオンし、ファンモータ１１に電源を与える。すると、ファン１２が速度「弱」で回転し、室１内の空気が通風路５ａから強制排気通路１４ａを通して屋外へ強制的に排出される。
【００２９】
制御装置２１は、ファンモータ１１を駆動すると、図１のステップＳ１からＳ２に復帰し、「５分」が経過したことを検出すると、ステップＳ３〜Ｓ５からＳ６へ移行する。そして、差圧センサ１８の差圧信号「Ｖ」に基づいて風量を演算し、演算風量を目標風量「強」と比較する。ファン１２の回転速度「弱」は、自然排気量が少なく且つ逆風が吹込んでいない状態で室１内から目標風量「弱」に応じた風が排気されるように設定されている。従って、制御装置２１は、ステップＳ６で風量「弱」を演算し、演算結果「弱」が目標風量「強」を下回っていると判断し、ステップＳ７へ移行する。
【００３０】
制御装置２１は、ステップＳ７へ移行すると、ダンパ８の全開を検出してステップＳ９へ移行する。ここで、ファンモータ１１のオンを検出してステップＳ１１へ移行し、「風量タップカウンタＱｃ←１」を実行し、風量タップカウンタＱｃの値を「２」にする。そして、風量タップカウンタＱｃの値「２」に基づいて図５のリードスイッチ２３ｂをオンし、ファン１２の回転速度を「強」に高める。この後、図１のステップＳ１２へ移行し、風量タップカウンタＱｃの値が「３（最大値）」でないと判断し、ステップＳ６に復帰する。
【００３１】
ファン１２の回転速度「強」は、自然排気量が少なく且つ逆風が吹込んでいない状態で室１内から目標風量「強」に応じた風が排気されるように設定されている。従って、制御装置２１は、ステップＳ６で風量「強」を演算し、演算結果「強」が目標風量「強」に達していると判断し、ステップＳ１に復帰する。
【００３２】
＜内外の圧力差や温度差が大きい場合＞
制御装置２１は、例えばステップＳ５で目標風量を「弱」に設定すると、ステップＳ６へ移行し、演算風量を目標風量「弱」と比較する。この場合、ダンパ８が全閉状態にされ且つファンモータ１１がオフされているので、風量「ゼロ」を演算する。そして、演算風量が目標風量「弱」を下回っていると判断し、ステップＳ６からＳ７へ移行する。
【００３３】
制御装置２１は、ステップＳ７へ移行すると、ダンパ８が全閉状態にあることを検出し、ステップＳ８へ移行する。ここで、ダンパ８を開放方向へ「１５°」回動させ、通風路５ａを所定量だけ開放した後、ステップＳ１に復帰する。そして、ステップＳ１〜Ｓ８を繰返し、通風路５ａを「５分」毎に「１５°」ずつ開放し、ステップＳ６で演算風量が目標風量「弱」に達したことを検出すると、ステップＳ１に復帰する。
【００３４】
制御装置２１は、通風路５ａを「１５°」ずつ開放する間に演算風量が目標風量「弱」を上回ったことを検出すると、ステップＳ６からＳ１３へ移行する。ここで、ファンモータ１１のオフを検出してステップＳ１４へ移行し、通風路５ａを「１５°」回動させ、通風路５ａを所定量だけ閉塞した後、ステップＳ１に復帰する。そして、ステップＳ２〜Ｓ６を実行し、ステップＳ６で演算風量が目標風量「弱」に下がったことを検出すると、ステップＳ１に復帰する。
【００３５】
制御装置２１は、通風路５ａを全開しても演算風量が目標風量「弱」に達しない場合、ステップＳ７で「ＹＥＳ」と判断してステップＳ９へ移行し、ステップＳ９で「ＮＯ」と判断してステップＳ１０へ移行する。ここで、風量タップカウンタＱｃの値「１」に基づいて図５のリードスイッチ２３ａをオンし、ファン１２を速度「弱」で回転させた後、ステップＳ１に復帰し、ステップＳ２〜Ｓ６を実行する。
【００３６】
この状態では、強制排気風量に自然排気風量が加算され、室１内から目標風量「弱」を上回る風が排気される。従って、制御装置２１は、ステップＳ６で演算風量が目標風量「弱」を上回ったと判断してステップＳ１３へ移行し、ファン１２のオンを検出する。そして、ステップＳ１５へ移行し、ファンモータ１２をオフした後、ステップＳ２に復帰する。
【００３７】
＜屋外で強い風が吹いている場合＞
制御装置２１は、例えばステップＳ４で目標風量を「強」に設定すると、ステップＳ６へ移行し、演算風量を目標風量「強」と比較する。この場合、ダンパ８が全閉状態にされ且つファンモータ１１がオフされているので、風量「ゼロ」を演算する。そして、演算風量が目標風量「強」を下回っていると判断し、ステップＳ６からＳ７へ移行する。
【００３８】
制御装置２１は、ステップＳ７へ移行すると、ダンパ８が全閉状態にあることを検出し、ステップＳ８へ移行する。ここで、ダンパ８を開放方向へ「１５°」回動させ、通風路５ａを所定量だけ開放した後、ステップＳ１に復帰する。そして、ステップＳ１〜Ｓ８を繰返し、ダンパ８を全開状態に回動させる。この状態では、屋外の空気が通風路５ａを通して室１内に吹込む。しかしながら、圧力センサ１８は風の向きを検出できず、自然排気されている程度の大きさの差圧信号「Ｖ」を出力する。従って、制御装置２１は、ステップＳ６で演算風量が目標風量「強」を下回ることを検出し、ステップＳ７へ移行する。
【００３９】
制御装置２１は、ステップＳ７へ移行すると、ダンパ８の全開を検出してステップＳ９へ移行し、ファンモータ１１のオフを検出してステップＳ１０へ移行する。ここで、風量タップカウンタＱｃの値「１」に基づいてファン１２を速度「弱」で回転させた後、ステップＳ１に復帰し、ステップＳ２〜Ｓ６を実行する。この状態では、ファン１２から逆風に抗して風が排気されるが、演算風量は目標値「強」に達しない。従って、制御装置２１は、ステップＳ６からＳ７およびＳ９を経てＳ１１へ移行する。
【００４０】
制御装置２１は、ステップＳ１１へ移行すると、「風量タップカウンタＱｃ←１」を実行して風量タップカウンタＱｃの値を「２」にし、風量タップカウンタＱｃの値「２」に基づいてファン１２の回転速度を高める。この後、ステップＳ１２へ移行し、風量タップカウンタＱｃの値が「３（最大値）」でないと判断し、ステップＳ６に復帰する。この状態では、ファン１２から逆風に抗して風が吐出されるが、演算風量は目標値「強」に達しない。従って、制御装置２１は、ステップＳ６からＳ７およびＳ９を経てＳ１１へ移行する。
【００４１】
制御装置２１は、ステップＳ１１へ移行すると、「風量タップカウンタＱｃ←１」を実行して風量タップカウンタＱｃの値を「３」にした後、ステップＳ１２へ移行する。ここで、風量タップカウンタＱｃの値が最大の「３」であることを検出し、ステップＳ１６へ移行する。そして、ファンモータ１１をオフすると共にダンパ８を全閉状態に回動させ、逆風が室１内に吹込むことを防止する（逆風処理）。
【００４２】
制御装置２１は、例えばステップＳ５で目標風量を「弱」に設定すると、ステップＳ６へ移行し、演算風量を目標風量「弱」と比較する。この場合、ダンパ８が全閉状態にされ且つファンモータ１１がオフされているので、風量「ゼロ」を演算する。そして、演算風量が目標風量「弱」を下回っていると判断し、ステップＳ６からＳ７へ移行する。
【００４３】
制御装置２１は、ステップＳ７へ移行すると、ダンパ８が全閉状態にあることを検出し、ステップＳ８へ移行する。ここで、ダンパ８を開放方向へ「１５°」回動させ、通風路５ａを所定量だけ開放した後、ステップＳ１に復帰する。そして、ステップＳ１〜Ｓ８を繰返し、ダンパ８を全開状態に回動させる。この状態では、屋外の空気が通風路５ａを通して室１内に吹込むが、圧力センサ１８は自然排気されている程度の大きさの差圧信号「Ｖ」を出力する。従って、制御装置２１は、ステップＳ６で演算風量が目標風量「弱」を下回ることを検出し、ステップＳ７へ移行する。
【００４４】
制御装置２１は、ステップＳ７へ移行すると、ダンパ８の全開を検出してステップＳ９へ移行し、ファンモータ１１のオフを検出してステップＳ１０へ移行する。ここで、風量タップカウンタＱｃの値「１」に基づいてファン１２を速度「弱」で回転させた後、ステップＳ１に復帰し、ステップＳ２〜Ｓ６を実行する。この状態では、ファン１２から逆風に抗して風が吐出されるが、演算風量は目標値「弱」に達しない。従って、制御装置２１は、ステップＳ６からＳ７およびＳ９を経てＳ１１へ移行する。
【００４５】
制御装置２１は、ステップＳ１１へ移行すると、「風量タップカウンタＱｃ←１」を実行して風量タップカウンタＱｃの値を「２」にし、風量タップカウンタＱｃの値「２」に基づいてファン１２の回転速度を高める。この後、ステップＳ１２へ移行し、風量タップカウンタＱｃの値が「３（最大値）」でないと判断し、ステップＳ６に復帰する。ここで、逆風量が小さく、演算風量が目標値「弱」に達する場合、制御装置２１は、ステップＳ６からＳ１に復帰する。
【００４６】
また、逆風量が大きくて演算風量が目標値「弱」に達しない場合、制御装置２１は、ステップＳ６からＳ７，Ｓ９，Ｓ１１へ移行し、「風量タップカウンタＱｃ←１」を実行して風量タップカウンタＱｃの値を「３」にした後、ステップＳ１２へ移行する。ここで、風量タップカウンタＱｃの値が最大の「３」であることを検出し、ステップＳ１６へ移行する。そして、ファンモータ１１をオフし、ダンパ８を全閉状態に回動させ、逆風が室１内に吹込むことを防止する（逆風処理）。
【００４７】
上記実施例によれば、ファン装置１３の運転状態で通風路５ａ内の風量が設定値以下であることに基づいて逆風を検出した。このため、ファン装置１３を駆動停止する等の異常処置を行うことができるので、ファン１３から異音が生じたり、ファン装置１３が異常昇温してファン装置１３の寿命が低下したり、消費電力量が増大することを防止できる。
【００４８】
また、ファン装置１３の回転数を逆風の検出に伴い高めた。このため、ファン装置１３から逆風に抗して吐出される順風量が増えるので、本体枠３内を通して室１内に吹込む逆風量を減らしたり、無くすことができる。
【００４９】
また、逆風を検出すると、本体枠３内を流れる順風量が所定値に達するまでファン装置１３の回転数を高めたので、屋外で強い風が吹いているにも拘らず、換気動作を行うことができる。
【００５０】
また、逆風を検出すると、通風路５ａを閉塞したので、本体枠３を通して室１内に逆風が吹込むことが防止される。しかも、ファン装置１３の停止および通風路５ａの閉塞を自動的に行ったので、電源スイッチをオフしてファン装置１３を回転停止させたり、ダンパ８を手動で閉塞する必要がなくなり、使い勝手が向上する。
【００５１】
また、逆風を検出すると、ファン装置１３の回転数を最大値に高めた。このため、ファン装置１３から逆風に抗して最大量の順風が吐出されるので、室１内に吹込む逆風量を減らしたり、無くすことができる。しかも、ファン装置１３の回転数が最大値に高まった状態で逆風が検出されると、ファン装置１３を自動的に停止させ且つ通風路５ａを自動的に閉塞したので、ファン装置１３の運転が過負荷状態のまま継続されることが防止される。
【００５２】
また、本体枠３内にダンパ装置１０およびファン装置１３を配設し、ダンパ装置１０およびファン装置１３を差圧センサ１８の差圧信号「Ｖ」に基づいて駆動制御した。このため、ファン装置１３の停止状態で通風路５ａの開口量を調節し、室１内から目標量の空気を自然排気できるので、ファン装置１３を常時作動させる必要がなくなり、電力消費量が低減される。
【００５３】
尚、上記実施例においては、風量検出手段として差圧センサ１８を用いたが、これに限定されるものではなく、例えば通風路５ａ内にサーミスタ風速センサを配設しても良い。この風速センサは風量に応じて表面の放熱量が変化するサーミスタの特性を利用したものであり、通風路５ａ内の風量に応じた電圧レベルの風量信号「Ｖ」を出力する。
【００５４】
また、上記実施例においては、補助コイル１１ｂの主コイル１１ａに対する直列接続量を変化させることに基づいてファンモータ１１の回転速度を調節したが、これに限定されるものではなく、例えばステータコアに極数が異なる２種類のコイルを収め、２種類のコイルを電源に選択的に接続することに伴いファンモータ１１の回転速度を調節しても良い。あるいは、ファンモータ１１の電源電圧をインバータ制御することに基づいてファンモータ１１の回転速度を調節しても良い。
【００５５】
また、上記実施例においては、逆風の検出に伴いファン装置１３を自動的に停止させ、且つ、通風路５ａを自動的に閉塞したが、これに限定されるものではなく、例えば、電源スイッチ等をオフしてファン装置１３を手動で停止させたり、ダンパ８を手動操作して通風路５ａを閉塞しても良い。この場合、逆風の検出をブザー，ＬＥＤ等の報知手段によって報知すると良い。
【００５６】
【発明の効果】
以上の説明から明らかなように、本発明の換気扇は次の効果を奏する。
請求項１記載の手段によれば、ファン装置の運転状態で本体枠内の風量が所定値以下であることに基づいて逆風を検出した。このため、ファン装置を駆動停止する等の異常処置を行うことができるので、ファン装置が異常昇温してファン装置の寿命が低下したり、消費電力量が増大することが防止される。
【図面の簡単な説明】
【図１】本発明の一実施例を示す図（制御装置の制御内容を示すフローチャート）
【図２】全体構成を示す縦断面図
【図３】本体枠を下方から示す図
【図４】全体の電気的構成を概略的に示すブロック図
【図５】ファンモータおよびリードスイッチを示す図
【符号の説明】
１は室、３は本体枠、３ａは吸気口、３ｂは排気口、５ａは通風路、１０はダンパ装置（開閉装置）、１３はファン装置、１８は差圧センサ（風量検出手段）、２１は制御装置（制御手段，逆風検出手段）を示す。
【図１】
0003737633.tif 000002
【図２】
0003737633.tif 000003
【図３】
0003737633.tif 000004
【図４】
0003737633.tif 000005
【図５】
0003737633.tif 000006